(57)【要約】【課題】異なる発光制御態様で発光させる複数の発光器を、ポート数が少ない制御回路によって容易に制御することができる技術を提供する。【解決手段】扉装飾基板４７０には、第１の駆動回路、第２の駆動回路、切替回路が設けられている。第１の駆動回路は、入力されるシリアル信号に基づいて、上装飾基板６１０に接続されている第１の発光器を第１の発光制御態様で駆動する。第２の駆動回路は、入力されるシリアル信号に基づいて、左装飾基板６２０及び右装飾基板６３０に接続されている第２の発光器を第２の発光制御態様で駆動する。切替回路は、選択信号に基づいて、共通の端子に入力されるシリアル信号を第１の駆動回路あるいは第２の駆動回路に出力する。【選択図】図５
2008200431.tif 000002
【特許請求の範囲】
【請求項１】
第１の発光器と、前記第１の発光器を第１の発光制御態様で駆動する第１の駆動回路と、第２の発光器と、前記第２の発光器を、前記第１の発光制御態様と異なる第２の発光制御態様で駆動する第２の駆動回路を備える遊技機であって、
制御回路と、切替回路を備え、
前記第１の駆動回路は、入力されたシリアル信号に基づいて、前記第１の発光器を前記第１の発光制御態様で駆動し、
前記第２の駆動回路は、入力されたシリアル信号に基づいて、前記第２の発光器を第２の発光制御態様で駆動し、
前記制御回路は、遊技状態に応じて、前記第１の駆動回路への第１のシリアル信号あるいは前記第２の駆動回路への第２のシリアル信号を含むシリアル信号と、シリアル信号の出力先を示す選択信号を前記切替回路に出力し、
前記切替回路は、入力された選択信号が第１の駆動回路を示している場合には、入力されたシリアル信号を前記第１の駆動回路に出力し、入力された選択信号が第２の駆動回路を示している場合には、入力されたシリアル信号を前記第２の駆動回路に出力するように構成されていることを特徴とする遊技機。
【発明の詳細な説明】
【技術分野】
【０００１】
本発明は、複数の演出装置を制御する制御回路を１つの制御回路に一体化する際に好適に用いることができる技術に関する。
【背景技術】
【０００２】
スロットマシンやパチンコ機等の遊技機には、遊技の演出を行うための種々の演出装置が用いられている。例えば、液晶表示装置等の画像情報を表示可能な表示装置、ＬＥＤ等の光を発光可能な発光器、スピーカ等の音を発生可能な音発生器等が演出装置として用いられている。また、遊技機には、種々の制御回路が設けられている。例えば、主制御回路、副制御回路、表示制御回路等が設けられている。主制御回路は、遊技状態に応じて主制御信号を出力する。副制御回路は、主制御回路から出力される主制御信号に基づいて、表示装置を制御する表示制御回路に福制御信号を出力する。また、福制御回路は、発光器を駆動する発光器駆動回路に光制御信号を出力し、音発生器を駆動する音発生器駆動回路等に音制御信号を出力する。表示制御回路は、副制御回路から出力される副制御信号に基づいて、表示装置を駆動する表示装置駆動回路に表示制御信号を出力する。
【０００３】
近年、装置全体の小型化等を図るために、表示制御回路の機能も副制御回路に持たせることが検討されている。この場合、副制御回路と発光器駆動回路、音発生器駆動回路、表示装置駆動回路との間の信号伝送方式としてパラレル伝送方式を用いた場合、副制御回路のパラレルポート数が不足する。
パラレルポート数の不足を解消する技術が特許文献１に記載されている。特許文献１に記載の技術は、制御回路の１つのパラレルポートを共通のデータバスとして複数のラッチ回路の入力端子に接続し、他の１つのパラレルポートの各ラインをそれぞれ複数のラッチ回路のクロック端子に接続するものである。
１つの副制御回路によって発光装置、音発生装置、表示装置を制御する場合における副制御回路のパラレルポート数の不足を解消する技術としてこの特許文献１に記載の技術を用いることが考えられるが、プログラムが複雑となるため、好ましくない。
また、パラレルポート数が多い副制御回路を用いることも考えられる。しかしながら、副制御回路のパラレルポート数が多くなると、副制御回路が大きくなる。このため、副制御回路が配設される副制御基板が大型化し、あるいは、副制御基板上における各素子の配置設計が難しくなる。さらに、副制御基板の外部接続端子の数が増加するため、接続のための作業負担が増大する。
そこで、シリアル伝送方式の副制御回路を用いることが考えられる。
【特許文献１】特開２００２−３６９９１４号公報
【発明の開示】
【発明が解決しようとする課題】
【０００４】
シリアル伝送方式の副制御回路を用いる場合、以下の点を考慮する必要がある。
例えば、発光器の発光制御態様としては、ダイナミック制御態様や階調制御態が用いられることが多い。ダイナミック制御する発光器と階調制御する発光器を遊技機に設ける場合には、発光器をダイナミック制御態様で駆動するダイナミック制御駆動回路と、発光器を階調制御態様で駆動する階調制御駆動回路を設ける必要がある。また、副制御回路からダイナミック制御駆動回路及び階調制御駆動回路に信号をシリアルに出力する場合、シリアルポート数が少ない副制御回路を用いることができるのが好ましい。
本発明は、このような点に鑑みて創案されたものであり、異なる発光制御態様で発光させる複数の発光器を、シリアルポート数が少ない制御回路によって容易に制御することができる技術を提供することを目的とする。
【課題を解決するための手段】
【０００５】
前記課題を解決するための第１発明は、請求項１に記載されたとおりの遊技機である。本発明の遊技機には、パチンコ機やスロットマシン等の種々の構成の遊技機が包含される。
本発明は、演出装置として用いられる第１の発光器と第２の発光器、第１の発光器を駆動する第１の駆動回路と第２の発光器を駆動する第２の駆動回路を備えている。第１の駆動回路は、入力されるシリアル信号に基づいて第１の発光器をダイナミック制御態様で駆動し、第２の駆動回路は、入力されるシリアル信号に基づいて第２の発光器を階調制御態様で駆動する。第１の発光器と第２の発光器としては、典型的にはＬＥＤが用いられる。勿論、ＬＥＤ以外の発光器を用いることもできるし、第１の発光器と第２の発光器として異なる発光器を用いることもできる。また、第１の発光器としては、典型的には、７セグメント表示器を形成する発光器やドットマトリクス表示器を形成する発光器が用いられる。第１の発光器及び第２の発光器の数や配置位置、第１の駆動回路及び第２の駆動回路の数等は、適宜選択可能である。
また、本発明は、制御回路と、切替回路を備えている。切替回路は、制御回路と第１及び第２の駆動回路の間に配置されている。制御回路は、遊技状態に応じて、第１の駆動回路への第１のシリアル信号あるいは第２の駆動回路への第２のシリアル信号を含むシリアル信号と、シリアル信号の出力先を示す選択信号を切替回路に出力する。本発明の制御回路は、典型的には、主制御回路から出力される主制御信号が入力される副制御回路が対応する。また、制御回路は、シリアル信号と選択信号を出力可能であればよい。切替回路は、入力された選択信号が第１の駆動回路を示している場合には、入力されたシリアル信号を第１の駆動回路に出力し、入力された選択信号が第２の駆動回路を示している場合には、入力されたシリアル信号を第２の駆動回路に出力するように構成されている。
典型的には、制御回路は制御回路基板に配設され、第１及び第２の駆動回路と切替回路は駆動基板に配設される。駆動基板には、シリアル信号が入力される第１の端子と、選択信号が入力される第２の端子が設けられ、切替回路は、第１の端子からシリアル信号を入力し、第２の端子から選択信号を入力する。
【発明の効果】
【０００６】
請求項１に記載の遊技機では、制御回路からの、第１の駆動回路への第１のシリアル信号あるいは第２の駆動回路への第２のシリアル信号を含むシリアル信号を切替回路によって第１の駆動回路あるいは第２の駆動回路に出力するように構成している。これにより、制御回のシリアルポート数を低減することができ、小形の制御回路を用いることができる。また、制御回路によって、第１及び第２の発光器を含む複数の演出装置を容易に制御することができる。
【発明を実施するための最良の形態】
【０００７】
以下に、本発明をスロットマシンとして構成した一実施の形態を、図面を参照して説明する。なお、図１は、本実施の形態のスロットマシン１の斜視図であり、図２は、スロットマシン１の分解斜視図であり、図３は、扉部材の斜視図であり、図４は、ケース部材の分解斜視図である。
本実施の形態のスロットマシン１は、前面側（遊技者側）が開口している箱形の外本体１００、外本体１００の前面側に横開き状に回動可能に取り付けられた扉部材２００、複数の図柄を変動表示させる図柄変動表示装置３００、外本体１００に着脱自在であり、前面側に開口部４０１を有するケース部材４００、画像情報を表示可能な画像表示装置５００等を有している。
【０００８】
外本体１００は、図２に示すように、底板１０１、左右の側板１０２、天板１０３、背板１０４により、前面側が開口している箱形に形成されている。左右の側板１０２は、台形に形成されている。天板１０３には、貫通孔１３２が形成されている。
外本体１００内には、高さ方向のほぼ中央に、金属製の仕切板１０５が配置されている。仕切板１０５は、前面側から見て、中央に突段部１０６を有する凸形に形成されている。仕切板１０５の両端に形成されている取付片１０７は、側板１０２の内面に取り付けられ、また、仕切板１０５の後端に形成されている取付片１０８は、背板１０４の内面に取り付けられている。なお、仕切板１０５と背板１０４との間には、配線用の開口１０９が形成されている。
【０００９】
外本体１００内の仕切板１０５より下方のスペースには、メダル（遊技媒体）を扉部材２００の前面下部に設けられているメダル用受皿２０１に排出するメダル払出装置１１０、メダル払出装置１１０からオーバーフローしたメダルを貯留するメダル用補助収納箱１１１、電源装置１１２等が配置されている。電源装置１１２は、ＡＣ電源をＤＣ電源に変換する電源装置が配設されている電源基板を有している。
メダル払出装置１１０は、駆動手段を内蔵した装置本体１１０ａと、メダルを貯留するホッパ１１０ｂにより構成されている。装置本体１１０ａの前面側にはメダルの排出口１１０ｃが設けられている。ホッパ１１０ｂ内のメダルは、駆動手段の作動によって、１枚ずつ排出口１１０ｃに向けて送り出される。また、ホッパ１１０ｂには、オーバーフローしたメダルをメダル用補助収納箱１１１に排出するオーバーフロー樋１１０ｄが設けられている。
外本体１００内の仕切板１０５より上方のスペースには、ケース部材４００が配置されている。また、外本体１００の背板１０４の内面には、配線中継部材１１３が取り付けられている。さらに、背板１０４には、配線中継部材１１３より上方の箇所に、放熱用の通気口１３３が形成されている。配線中継部材１１３には、配線中継基板１１５（図５参照）が設けられている。
また、右側の側板１０２の内面には、外部端子坂１３１が設けられている。配線中継基板１１５は、一点差線Ｌで示すように、外部端子坂１３１や他の電気部品に接続されている。
【００１０】
ケース部材４００は、図４に示すように、金属製の底板４０３、左右の合成樹脂製の側板４０４、合成樹脂製の後面板４０５、合成樹脂製の天板４０６により、前面側に開口部４０１を有する箱形に形成されている。ケース部材４００は、外本体１００の仕切板１０５から上方のスペースにほぼ合致する大きさを有している。また、左右の側板４０４と天板４０６の開口部４０１側の箇所に、金属製の補強部材４０７が設けられ、さらに、左右の側板４０４に設けられている補強部材４０７の間に、開口部４０１を横切る金属製の補強桟４０２が掛け渡されている。
そして、この補強桟４０２を境に、下方側の領域が図柄変動表示装置３００の設置領域として割り当てられ、上方側の領域が画像表示装置５００の設置領域として割り当てられている。また、画像表示装置５００より後方の領域が配線作業空間４０８として割り当てられている。この配線作業空間４０８内の、後面板４０５の内壁面には、主制御基板４０９が設けられている。なお、主制御基板４０９以外の制御基板、例えば、副制御基板４５０（図５参照）も配線作業空間４０８内に設けられている。
また、機能分離中継端子坂４４１が設けられている。機能分離中継端子坂４４１は、主制御基板４０９と副制御基板４５０に接続されている。
また、コネクタホルダー４２８が設けられている。コネクタホルダー４２８には、主制御基板４０９に接続されているハーネス４２４、主制御基板４０９以外の基板（例えば、副制御基板４５０）に接続されるハーネス４２６、ケース側に設けられている電気部品に接続されるケース側配線４２３等が接続されている。コネクタホルダー４２８に設けられているコネクタを配線中継部材１１３の所定の箇所に挿入することによって、各種の電気接続が行われる。
なお、ケース部材４００には、コネクタホルダー４２８を仮止めする仮止め棚４１８（図４の拡大図参照）が設けられている。これにより、ケース部材４００の輸送時や、ケース部材４００を外本体１００に組み込む作業を行う時に、コネクタホルダー４２８を仮止めすることができ、コネクタホルダーに設けられているコネクタがケース部材４００内の部品に当たるのを防止することができる。
【００１１】
ケース部材４００の底板４０３の底面には凹段部が形成されている。この凹段部が仕切板１０５の突段部１０６に嵌合することによって、ケース部材４００は仕切板１０５上に載置される。
また、ケース部材４００の天板４０６には、天板４０６の強度を保つための補強帯４４４の両側に天窓部４４３が形成されている。天窓部４４３は、ケース部材４００が外本体１００に配置された状態で、外本体１００の貫通孔１３２と対向する箇所に形成されている。そして、ケース部材４００を仕切板１０５上に載置した状態で、木ねじ等の固定部材を貫通孔１３２及び天窓部４４３を貫通し締め付けることによって、外本体１００が遊技店の島の上桟に固定される。
なお、ケース部材４００の後面板４０５の外面には複数のボス（図示省略）が突設されており、このボスが外本体１００の背板１０４に設けられているボス孔１１４に嵌合されることによって、ケース部材４００が外本体１００に位置決めされる。
【００１２】
また、ストッパー１１７が、仕切板１０５の前端部と、天板１０３に垂設した２つの取付具１１８とに軸着されている。このストッパー１１７は、ケース部材４００の一部に係合する作動位置と、ケース部材４００に係合しない非作動位置に切り替え可能である。そして、ケース部材４００を仕切板１０５上の所定位置に位置決めした状態で、ストッパー１１７を非作動位置から作動位置に切り替えることにより、ケース部材４００の仕切板１０５上における前方向のへ動きを規制することができる。
ここで、天板１０３の取付具１１８に軸着されているストッパー１１７は、ケース部材４００が仕切板１０５上の所定位置に配置された状態において、ケース部材４００の側板４０４と天板４０６のコーナー部に貫設した係止孔４４２に対向する位置に配置されている。これにより、ケース部材４００を仕切板１０５上の所定の位置に配置した状態において、ケース部材４００の内側からストッパー１１７を作動位置あるいは非作動位置に手動で切り替えることができる。
なお、ストッパー１１７を鉤形状に形成し、ケース部材４００に設けた引掛部に係合させるように構成すれば、ケース部材４００の仕切板１０５上における上方向の動きも規制することができる。
【００１３】
図柄変動表示装置３００は、駆動手段３０３を構成するリールモータ３０３ａ、３０３ｂ、３０３ｃ（図５参照）により個別に回転駆動されるリール３０１ａ、３０１ｂ、３０１ｃと装置ケース３０２を有している。リール３０１ａ、３０１ｂ、３０１ｃの外周面には複数の図柄が配置されている。
装置ケース３０２は、底部板３０４、天部板３０５、右側板３０６、左側板３０７、後部板３０８、天部板３０５と後部板３０８の間に配設されている上斜板３０９、底部板３０４と後部板３０８の間に配設されている下斜板３１０により、前面側が開口する箱形に形成されている。リール３０１ａ〜３０１ｃは、外周面の一部が装置ケース３０２の開口部から飛び出るように、装置ケース３０２に取り付けられている。
装置ケース３０２の天部板３０５には、指掛可能に立てた使用状態と、天部板３０５に伏した不使用状態とに変更可能な把手３１１が設けられている。この把手３１１に指を掛けることによって、装置ケース３０２を持ち運ぶことができる。把手３１１を使用状態と不使用状態とに変更する構造としては適宜の構造を用いることができる。
また、装置ケース３０２の底部板３０４には、フランジ状の下把手３１６が突設されている。この下把手３１６をつかんで装置ケース３０２を押し込み又は引っ張ることによって、装置ケース３０２のケース部材４００への出し入れを容易に行うことができる。
また、右側面３０６には、リール基板３１２が設けられている。リール基板３１２は、主制御基板４０９と、リールモータ３０３ａ、３０３ｂ、３０３ｃを駆動するモータ駆動回路が配設されているモータ駆動基板３０３Ａ、３０３Ｂ、３０３Ｃ（図５参照）に接続されている。
【００１４】
画像表示装置５００は、画像情報を表示可能な表示装置であり、例えば、液晶表示装置、プラズマ表示装置、有機ＥＬ表示装置等により構成される。
画像表示装置５００は、ケース部材４００の開口部４０１の補強桟４０２から上方の領域のほぼ全部を覆う大きさを有している。また、画像表示装置５００の下部には、ケース部材４００の開口部４０１の補強桟４０２から下方の領域、すなわち、図柄変動表示装置３００の前方領域を額縁状に囲う枠部材５０１が垂設されている。この枠部材５０１により、図柄変動表示装置３００のリール３０１ａ〜３０１ｃが縁取られる。枠部材５０１の表面は、装飾面として用いられ、模様等が描かれている。
枠部材５０１の裏側の上下には、図柄変動表示装置３００により表示される図柄を照明する上側照明装置及び下側照明装置（図示省略）が設けられている。この場合、枠部材５０１が図柄変動表示装置３００の近傍に配置されるため、低光量の照明装置でも十分な明るさを確保することができる。
上側照明装置及び下側照明装置は、左右方向に細長い帯状の基板に複数のＬＥＤ（発光ダイオード）を配置することによって構成されている。なお、上側照明装置のＬＥＤは、照明方向が、真下より遊技者側、すなわち、扉部材２００に取り付けられている透明板２１４ａ側に向かう斜め下向きに設定されている。このように、上側照明装置の照明方向を透明版２１４ａ側に向かう向きに設定することにより、透明板２１４ａを介してリール３０１ａ〜３０１ｃの外周面が照らされ、リール３０１ａ〜３０１ｃの広い範囲が明るくなって見え易くなる。
このような構成は、下側照明装置にも用いることができる。勿論、下側照明装置のみに用いることもできる。この場合には、下側照明装置の照明方向を、透明版２１４ａ側に向かう斜め上向きに設定する。
なお、上側照明装置及び下側照明装置は、蛍光灯のような棒状発光体を用いて構成することもできる。
【００１５】
画像表示装置５００は、ケース部材４００の左側の側板４０４に設けられている補強部材４０７に、ヒンジ金具４２０により回動自在に支持される。
ケース部材４００の右側の側板４０４に設けられている補強部材４０７には、ロック片４２１が軸着されている。そして、画像表示装置５００を、ケース部材４００の開口部４０１の上方部を閉じる方向に回動させた状態で、ロック片４２１を図４に示す状態から時計方向に回動させると、ロック片４２１の先端が画像表示装置５００の裏側に突設されている受部５０８に係合する。これにより、画像表示装置５００は、ケース部材４００の開口部４０１の上方部を閉じた位置にロックされる。一方、この状態で、ロック片４２１を反時計方向に回動させると、ロック片４２１と受部５０８の係合が解除される。これにより、画像表示装置５００のロックが解除され、ヒンジ金具４２０を中心に回動自在となる。
画像表示装置５００は、画像表示装置５００の奥の配線作業空間４０８内のチェックを行う際に、ケース部材４００の開口部４０１の上方部を開ける方向に回動される。
なお、扉部材２００の開閉に連動して画像表示装置５００が回動するように構成することもできる。このような構成を用いることにより、画像表示装置５００の奥の配線作業空間４０８内のチェックを効率よく行うことができる。
【００１６】
ここで、ケース部材４００の開口部４０１の上縁と、開口部４０１を閉じた位置に回動されている画像表示装置５００の上縁との前後間には、隙間が設けられている。この隙間１０に指を通すことによって、ケース部材４００の天板４０６の上部の補強部材４０７を掴むことができる。
また、ケース部材４００の天板４０６の前方中央部分（天窓部４４３の間の補強帯４４４の部分）には、把手口４２２が形成されている。この把手口４２２に指を通すことによって、ケース部材４００の天板４０６の上部の補強部材４０７を掴むことができる。
これにより、例えば、ケース部材４００を外本体１００に装着する前の搬送時には、把手口４２２に指を挿入してケース部材４００を持ち運ぶことができる。一方、ケース部材４００を外本体１００に装着した状態では、把手口４２２に指を挿入することができない。この場合には、ケース部材４００の開口部４０１の上縁と画像表示装置５００の上縁との間の隙間に指を挿入することによって、ケース部材４００を引っ張り出す。
なお、ケース部材４００の底板４０３の正面中央には、装置ケース３０２の下把手３１６が突出している。したがって、下把手３１６を持って押し込み又は引っ張ることによって、外本体１００へのケース部材４００の出し入れを容易に行うことができる。
【００１７】
扉部材２００の表側が図１、図３に示されている。
扉部材２００の表側の下方には、メダル用受皿２０１が設けられている。
また、扉部材２００の表側のほぼ中央には、操作部２０２が設けられている。この操作部２０２は、メダル投入口２０３、主制御基板４０９に配設されている記憶回路に記憶されているメダル貯留数から「１」を減算する（引き落とす）ことを指示する（貯留しているメダルの中から１枚のメダルをベットすることを指示する）１ベットボタン２０５、貯留しているメダルの中から１回のゲームで使用可能な最高枚数（例えば３枚）をベットすることを指示するＭＡＸベットボタン２０６、後述するメダルセレクタ２０７の中に詰まったメダルをメダル用受皿２０１に戻すことを指示するメダル返却ボタン２０８、主制御基板４０９に配設されている記憶回路に記憶されているメダル貯留数を精算することを指示する貯留メダル清算ボタン２０９、図柄変動表示装置３００を構成するリール３０１ａ、３０１ｂ、３０１ｃの回転（図柄変動の開始）を指示する始動レバー２１０、リール３０１ａ、３０１ｂ、３０１ｃそれぞれの停止を指示する停止ボタン２１１ａ、２１１ｂ、２１１ｃ等が設けられている。勿論、ここに示した操作部２０２の構成は１つの例示であり、これらに限定されるものではない。
なお、メダル投入口２０３に投入されたメダルを検出するメダル投入センサー２０３Ａ、1ベットボタン２０５が操作されたことを検出する１ベットボタンセンサー２０５Ａ、ＭＡＸベットボタン２０６が操作されたことを検出するＭＡＸベットボタンセンサー２０６Ａ、メダル返却ボタン２０８が操作されたことを検出するメダル返却ボタンセンサー２０８Ａ、貯留メダル清算ボタン２０９が操作されたことを検出する貯留メダル清算ボタンセンサー２０９Ａ、始動レバー２１０が操作されたことを検出する始動レバーセンサー２１０Ａ、停止ボタン２１１ａ、２１１ｂ、２１１ｃが操作されたことを検出する停止ボタンセンサー２１１Ａ、２１１Ｂ、２１１Ｃが設けられている。
【００１８】
扉部材２００の裏側が図２に示されている。
扉部材２００の裏側には、表側に設けられているメダル投入口２０３に対応する箇所に、メダルセレクタ２０７が配置されている。メダルセレクタ２０７には、メダル樋２１２と返却樋２１３が接続されている。メダル樋２１２は、扉部材２００が外本体１００の前面側の開口部を閉じる位置に設定された時に、メダル樋２１２を流れるメダルが、メダル払出装置１１０のホッパ１１０ｂ内に排出されるように構成されている。返却樋２１３は、返却樋２１３を流れるメダルが、扉部材２００の表側に設けられているメダル用受皿２０１に排出されるように構成されている。
メダルセレクタ２０７は、内蔵するソレノイド（図示省略）のＯＮ・ＯＦＦによってメダルの流路を切り替える。例えば、遊技者からのメダルの投入を待っている遊技状態の時には、流路をメダル樋２１２側に設定し、メダル投入口２０３に投入されたメダルをホッパ１１０ｂに排出する。一方、メダルの投入を拒否する遊技状態の時（例えば、規定枚数を超えてメダルが投入された時）には、流路を返却樋２１３側に設定し、メダル投入口２０３に投入されたメダルをメダル用受皿２０１に排出する。
【００１９】
扉部材２００の上半部には、図３に示すように、透視窓２１４が形成されている。この透視窓には、透明な合成樹脂により形成された透明板２１４ａが取り付けられている。透視窓２１４及び透明板２１４ａは、遊技者が、透明板２１４ａを通して、画像表示装置５００と図柄変動表示装置３００が上下に並んでいる状態を見ることができる形状に形成されている。また、扉部材２００には、額フレーム２１６が形成されている。これにより、遊技者は、透明板２１４ａを通して画像表示装置５００と図柄変動表示装置３００を見た時に、額フレーム２１６によって区画されている上下の領域に画像表示装置５００と図柄変動表示装置３００が配置されているように見える。このように、一枚の透明板２１４ａを、画像表示装置５００と図柄変動表示装置３００の双方をカバーする大きさに形成することにより、画像表示装置５００と図柄変動表示装置３００の配置位置を上下に入れ替えた場合でも、透明板２１４ａを交換する必要がない。
【００２０】
透明板２１４ａは、逆台形形状に形成されており、底辺を除く三辺の周縁に縁部材２１４ｂが一体成形されている。縁部材２１４ｂは、透明板２１４ａから、遊技者と対向する側に延びている。板状の透明板２１４ａの周縁に縁部材２１４ｂを一体成形することにより、縁部材２１４ｂが補強部材となり、透明板２１４ａの強度が高まる。これにより、透明板２１４ａを、画像表示装置５００と図柄変動表示装置３００の双方をカバーする大きさに形成した場合でも、透明板２１４ａに撓みや歪みが発生し難い。
【００２１】
縁部材２１４ｂは、後面側に開口する内部空間が形成されている殻構造を有している。そして、縁部材２１４ｂの内部空間には、発光ユニット２１７が配置される。なお、装飾部材、例えば、表面に模様や文字を施した装飾部材を配置することもできる。
発光ユニット２１７は、例えば、発光体２１７ａ（発光器２１７ａ−１と導光板２１７ａ−２の組合せ）と、発光体２１７ａを支持する反射部材２１７ｂにより構成される。発光器２１７ａ−１としては、ＬＥＤ（発光ダイオード）等が用いられる。
透明板２１４ａの左側部及び右側部に配置される発光ユニット２１７の反射部材２１７ｂは、発光体２１７ａの光をスロットマシン１の周囲（外方）に向けて多く反射するように配置角度が設定されている。また、透明板２１４ａの上部に配置される発光ユニット２１７の反射部材２１７ｂは、発光体２１７ａの光をスロットマシン１の上方に向けて多く反射するように設定されている。
透明板２１４ａの外周縁に設けられる縁部材２１４ｂの内部に発光ユニット２１７を組み込む構成を用いることにより、発光体２１７ａを、スロットマシン１の前方側（遊技者側）の位置に配置することができる。これにより、発光体２１７ａからの光を周囲に向けて効果的に放射させることができる。
【００２２】
本実施の形態では、ＬＥＤ等の発光器の発光制御態様として、少なくとも、ダイナミック制御態様と階調制御態様を用いている。
ここで、ダイナミック制御態様は、点灯させる発光器を短い周期で順次点滅させる発光制御態様である。ＬＥＤを短い周期で順次点滅させることにより、目の残像現象によって連続点灯しているように見えるとともに、消費電力を低減することができる。発光器をダイナミック制御する方法として、例えば、７セグメント発光器を構成し、コモン端子とセグメント端子の組み合わせによって順次ＬＥＤを点滅させる方法や、ドットマトリクス表示器を構成し、行端子と列端子の組み合わせによって順次ＬＥＤを点滅させる方法等が用いられる。
また、階調制御態様は、発光器の明るさや色を複数の段階で制御する発光制御態様である。色を諧調制御する方法としては、例えば、赤色ＬＥＤ、緑色ＬＥＤ、青色ＬＥＤそれぞれの明るさを複数の段階で制御する方法が用いられる。
本実施の形態では、発光ユニット２１７を構成する発光器（発光手段）２１７ａ−１として、ダイナミック制御される発光器と階調制御される発光器を用いている。例えば、透明板２１４ａの上部の縁部材２１４ｂに配置される発光ユニット２１７として、ダイナミック制御される発光器により構成される発光ユニット（上装飾発光ユニット）を用いる。また、透明板２１４ａの左側部及び右側部の縁部材２１４ｂそれぞれに配置される発光ユニット２１７として、階調制御される発光器により構成されるを発光ユニット（左装飾発光ユニット、右装飾発光ユニット）を用いる。
なお、ダイナミック制御される発光器や階調制御される発光器の数や配置位置等は、演出態様等に応じて適宜変更可能である。
【００２３】
透明板２１４ａの外周に発光ユニット２１７を設けることにより、効果的な演出を行うことができる。特に、当たりが発生した場合等に発光器を発光させることにより、当たりが発生したことを遊技者や周囲の遊技者に報知する演出を行うことができる。この場合、当りが発生した遊技機で遊技を行っている遊技者に周囲の遊技者の注目が集まることから、遊技者に優越感を抱かせることができ、遊技に対する興趣を高めることができる。また、当たりが発生したことを報知することにより、その機種の人気が高まり、稼働率の向上を期待することができる。
縁部材２１４ｂの形状は、発光ユニット２１７や装飾部材のデザインに応じて任意に変更可能である。また、縁部材２１４ｂは、透明板２１４ａの周縁の少なくとも一辺に形成されていればよい。
【００２４】
なお、透明板２１４ａのコーナー部分には、縁部材２１４ｂの間に固定部材２１８が嵌められる。固定部材２１８は、透明板２１４ａの裏側から透孔２１４ｃを通したビス（図示省略）により固定される。
固定部材２１８は、透明板２１４ａを扉部材２００に固定する役割を有する。すなわち、扉部材２００と透明板２１４ａそれぞれのコーナー部分に設けられている通孔２００ａ及び２１４ｄ（図３の拡大図参照）に、扉部材２００の裏側から通したビス（図示省略）を螺合させる。これにより、透明板２１４ａが扉部材２００に固定される。
なお、固定部材２１８は、コーナー飾りとしての役割も有する。
【００２５】
透明板２１４ａは、扉部材２００の裏側に設けられている凹溝２１９に、板状の底辺を扉部材２００の前面から斜めに嵌め込む。そして、透明板２１４ａを直立させ、全ての縁部材２１４ｂを扉部材２００の前面に当接させる。さらに、扉部材２００の裏から通したビス（図示省略）によって固定する。
なお、扉部材２００の自由端側の一側には、専用キーを用いて開閉操作される錠装置２１５が設けられている。
【００２６】
次に、本実施の形態のスロットマシン１の制御系のブロック図を、図５を参照して説明する。図５に示す制御系は、ダイナミック制御される１つのグループの発光器と、階調制御される２つのグループの発光器が設けられている場合のものである。例えば、前述した、透明板２１４ａの上部に配置した発光ユニット２１７を構成する発光器のグループ（上発光器グループ）をダイナミック制御し、左側部に配置した発光ユニット２１７を構成する発光器のグループ（左発光器グループ）と右側部に配置した発光ユニット２１７を構成する発光器のグループ（右発光器グループ）を階調制御する。
なお、図５では、ダイナミック制御される発光器は上装飾基板６１０に接続され、階調制御される発光器は左装飾基板６２０及び右装飾基板６３０に接続される。
【００２７】
本実施の形態は、主制御基板４０９、副制御基板４５０、リール基板３１２、モータ駆動基板３０３Ａ、３０３Ｂ、３０３Ｃ、配線中継基板１１５、機能分離中継端子板４４１、リール上照明基板５０２、リール下照明基板５０３、液晶インバータ基板５０５、液晶モジュール５１０、周辺中継基板４６０、扉装飾基板４７０、上装飾基板６１０、左装飾基板６２０、右装飾基板６３０、Ｌスピーカ基板６４０、Ｒスピーカ基板６５０、電源基板１１２ａ等を有している。
主制御基板４０９には、種々のセンサーからの検出信号を入力し、遊技状態に応じて主制御信号やモータ制御信号等を出力する主制御回路等が配設されている。
副制御基板４５０には、主制御回路からの主制御信号に基づいて副制御信号を出力する副制御回路、リール上照明装置やリール下照明装置を構成するＬＥＤ（発光器）を駆動する照明駆動回路等が配設されている。本実施の形態では、シリアル伝送方式で副制御信号を出力する副制御回路が用いられている。照明駆動回路は、シリアル信号である副制御信号を入力し、パラレル信号である照明駆動信号を出力する。
配線中継基板１１５、リール基板３１２、機能分離中継端子板４４１、周辺中継基板４６０等は、信号や電源を中継する。
副制御基板４５０が本発明の「制御基板」に対応し、扉装飾基板４７０が本発明の「駆動基板」に対応する。
【００２８】
モータ駆動基板３０３Ａ〜３０３Ｃには、主制御回路からのモータ制御信号に基づいて、リールモータ３０３ａ〜３０３ｃを駆動するモータ駆動回路等が配設されている。
リール上照明基板５０２、リール下照明基板５０３には、副制御回路からの照明駆動信号に基づいて駆動される、リール上照明装置を構成するＬＥＤ、リール下照明装置を構成するＬＥＤが接続される。リール上照明装置を構成するＬＥＤ、リール下照明装置を構成するＬＥＤの発光制御態様としては、スタティック制御態様、ダイナミック制御態様、階調制御態様等を用いることができる。
液晶インバータ基板５０５には、図柄表示装置５００を構成する液晶表示装置のバックライト用電源を出力するインバータ装置が配設されている。液晶モジュール５１０には、液晶表示装置を駆動する表示装置駆動回路（例えば、スケーラやＶＤＰ等）が設けられている。
上装飾基板６１０は、扉装飾基板４７０（ダイナミック制御駆動回路４７３）から出力される発光器駆動信号（ダイナミック駆動信号）に基づいて駆動される発光器（上発光器）が接続される。
左装飾基板６２０、右装飾基板６３０には、扉装飾基板４７０（階調制御駆動回路４７４、４７５）から出力される発光器駆動信号（諧調駆動信号）に基づいて駆動される発光器（左発光器、右発光器）を接続される。
Ｌスピーカ基板６４０、Ｒスピーカ基板６５０は、扉装飾基板４７０から入力されるＬスピーカ駆動信号、Ｒスピーカ駆動信号に基づいて駆動されるＬスピーカ、Ｒスピーカが接続される。
扉装飾基板４７０は、周辺中継基板４６０と、上装飾基板６１０、左装飾基板６２０、右装飾基板６３０、Ｌスピーカ基板６４０、Ｒスピーカ基板６５０等に接続され、周辺中継基板４６０を介して副制御回路から出力される副制御信号を入力し、前記した各駆動信号を出力する。扉装飾基板４７０の構成については後述する。
なお、電源基板１１２ａは、電源装置１１２内に設けられており、例えば、ＡＣ２４Ｖ電源をＤＣ１２Ｖ電源、ＤＣ３４Ｖ電源に変換する電源変換装置が配設されている。電源変換装置で変換されたＤＣ１２Ｖ電源、ＤＣ３４Ｖ電源は、各基板間の電源線を介して各基板に順次供給されている。
【００２９】
次に、本実施の形態のスロットマシンの動作を概略的に説明する。
主制御回路は、入力信号に基づいて種々の処理を実行し、種々の主制御信号を出力する。
例えば、メダル投入センサー２０３Ａからの検出信号が入力されると、記憶回路に記憶されているメダル貯留数に「１」を加算し、加算値を新たなメダル貯留数として記憶する。１ベットボタンセンサー２０５ＡあるいはＭＡＸベットボタンセンサー２０６Ａからの検出信号が入力されると、記憶回路に記憶されているメダル貯留数から「１」あるいは「ＭＡＸ」を減算し、減算結果を新たなメダル貯留数として記憶する。
１ベットボタンセンサー２０５ＡあるいはＭＡＸベットボタン２０６Ａからの検出信号が入力された状態で始動レバーセンサー２１０Ａからの検出信号が入力されると、リール基板３１２を介して、モータ駆動基板３０３Ａ〜３０３Ｃに配設されているモータ駆動回路それぞれに、始動を指示するモータ制御信号を主制御信号として出力し、リール３０１ａ〜３０１ｃの回転を開始させる。この状態で停止ボタンセンサー２１１Ａ〜２１１Ｃからの検出信号が入力されると、リール基板３１２を介して、停止ボタンセンサー２１１Ａ〜２１１Ｃに対応するモータ駆動回路に、停止を指示するモータ制御信号を主制御信号として出力し、リール３０１ａ〜３０１ｃを停止させる。なお、始動レバー２１０Ａからの検出信号が入力されてから設定時間内に停止ボタンセンサー２１１Ａ〜２１１Ｃから検出信号が入力されなかった場合にも、停止を指示するモータ停止制御信号を出力する。
リール３０１ａ〜３０１ｃが停止すると、リールモータ３０３ａ〜３０３ｃに設けられているセンサーからの検出信号出力に基づいて（例えば、原点位置センサーからの検出信号と駆動パルス数に基づいて）、表示されている図柄を判別する。そして、表示されている図柄の配列が当たり図柄配列と一致している（当たりが発生している）場合には、当たり図柄配列に対応する払出数を示す主制御信号をメダル払出装置１１０に出力する。
なお、主制御回路は、扉開放検知センサー２２０から扉部材２００が開放されたことを示す検知信号が入力されると、不正遊技防止のための所定の処理を実行する。また、主制御回路は、種々の状態信号（例えば、当たり発生回数、メダル投入数、メダル払出数等）を、外部端子坂１３１を介して管理装置（例えば、ホールコンピュータ等）に出力する。
【００３０】
また、主制御回路は、遊技状態を示す主制御信号を機能分離中継端子板４４１を介して副制御基板４５０に配設されている副制御回路に出力する。
副制御回路は、主制御回路からの主制御信号に基づいて種々の副制御信号を出力する。なお、本実施の形態では、副制御信号をシリアル伝送方式を用いて出力する副制御回路が用いられている。
例えば、副制御基板４５０に配設されている照明駆動回路に、リール上照明装置、リール下照明装置を構成する発光器を制御する照明制御信号を副制御信号としてシリアルに出力する。照明駆動回路は、シリアルに入力される副制御信号に基づいて、リール上照明装置を構成する発光器、リール下照明装置を構成する発光器を駆動する駆動信号をリール上照明基板５０２、ルール下照明基板５０３にパラレルに出力する。
また、副制御回路は、画像表示装置を構成する液晶表示装置を制御する副制御信号を液晶モジュール５１０に設けられている表示装置駆動回路にシリアルに出力する。表示装置駆動回路は、例えば、スケーラやＶＤＰ等により構成され、シリアルに入力された副制御信号に基づいて、液晶表示装置を駆動する。
【００３１】
また、副制御回路は、主制御信号に基づいて、上装飾基板６１０に接続されている上発光器、左装飾基板６２０に接続されている左発光器、右装飾基板６３０に接続されている右発光器、Ｌスピーカ基板６４０に接続されているＬスピーカ、Ｒスピーカ基板６５０に接続されているＲスピーカを制御するための副制御信号を、周辺中継基板４６０を介して扉装飾基板４７０にシリアルに出力する。
【００３２】
扉装飾基板４７０の構成を図６、図７を参照して説明する。
扉装飾基板４７０は、コネクタ４７０ａ〜４７０ｆを有している。コネクタ４７０ａの端子１〜６には、それぞれ信号線を介して、副制御基板４５０（副制御基板４５０に配設されている副制御回路）から出力される第１の選択信号ＳＬ０、第２の選択信号ＳＬ１、データ信号ＤＡＴＡ、クロック信号ＣＬＫ、モード信号ＭＯＤＥ、ラッチ信号ＬＡＴＣＨがシリアルに入力される。コネクタ４７０ａの端子７及び８は、それぞれ電源線を介して、＋ＤＣ１２Ｖ電源端子及び接地端子に接続されている。また、コネクタ４７０ａの端子９及び１０、１１及び１２には、それぞれ副制御基板４５０（副制御基板４５０に配設されている音駆動回路）からＲスピーカ駆動信号及びＬスピーカ駆動信号が入力される。
本実施の形態では、第１の選択信号ＳＬ０と第２の選択信号ＳＬ１により本発明の「選択信号」が構成されている。
【００３３】
また、扉装飾基板４７０には、電圧変換回路４７１、信号変換回路４７２、ダイナミック制御駆動回路４７３、階調制御駆動回路４７４、４７５が配設されている。
電圧変換回路４７１は、端子８と及び９間に入力されるＤＣ１２Ｖ電源をＤＣ５Ｖ電源に変換する。本実施の形態では、電圧変換回路４７１として、ＰＮＰトランジスタＴＲ２１、抵抗Ｒ２１〜Ｒ２４、コンデンサＣ２１〜Ｃ２３、比較器ＣＯＭ２１、定電圧ダイオードＺＤ２１、ダイオードＤ２１、Ｄ２２により構成される３端子レギュレータが用いられている。すなわち、比較器ＣＯＭ２１は、抵抗Ｒ２３及びＲ２４により検出される出力電圧が、定電圧ダイオードＺＤ２１により定まる設定電圧に一致するようにＮＰＮトランジスタＴＲ２１を制御する。
電圧値が低いＤＣ５Ｖ電源を電源基板１１２ａから電源線を介して各基板に出力する場合、電源線に混入したノイズや電源線の電圧効果によるＤＣ５Ｖ電源への影響が大きい。本実施の形態では、電圧値が高いＤＣ１２Ｖ電源を電源基板１１２ａから各基板を介して扉装飾基板４７０に出力し、扉装飾基板４７０でＤＣ１２Ｖ電源をＤＣ５Ｖ電源に変換している。このため、電源線に混入するノイズや電源線の電圧効果によるＤＣ５Ｖ電源への影響を低減することができる。
ダイナミック制御駆動回路４７３と階調制御駆動回路４７４、４７５の一方が本発明の「第１の発光制御態様で第１の発光器を駆動する第１の駆動回路」に対応し、他方が本発明の「第２の発光制御態様で第２の発光器を駆動する第２の駆動回路」に対応する。
【００３４】
ダイナミック制御駆動回路４７３は、データ信号入力端子ＤＡＴＡ−ＩＮ、クロック信号入力端子ＣＬＫ、ロード信号入力端子ＬＯＡＤ、桁出力端子ＤＩＧ０〜ＤＩＧｍ、セグメント出力端子ＯＵＴ０〜ＯＵＴ６、データ信号出力端子ＤＡＴＡ−ＯＵＴを有している。なお、ロード信号入力端子ＬＯＡＤは、反転入力端子である。
本実施の形態では、ダイナミック制御駆動回路４７３は、複数桁の７セグメント表示器を構成するＬＥＤ（発光器）をダイナミック制御可能に構成されている。例えば、図１０に示すように、ＬＥＤ１〜７により構成される７セグメント表示器を３個設けて３桁（桁１〜桁３）の７セグメント表示器を構成し、桁出力端子ＤＩＧ０〜ＤＩＧ３それぞれを各桁の正極側のコモン端子に接続し、セグメント出力端子ＯＵＴ０〜ＯＵＴ６を各桁の負極側のセグメント端子１〜６に共通に接続する。この場合、桁出力端子ＤＩＧ０〜ＤＩＧ２とセグメント出力端子ＯＵＴ０〜ＯＵＴ６の組み合わせによって、各桁の7セグメント表示器を構成するＬＥＤ１〜７がダイナミック制御される。
正極側をコモン端子とし、負極側をセグメント端子としたが、負極側をコモン端子とし、正極側をセグメント端子とすることもできる。
なお、ドットマトリクスを構成するＬＥＤ（発光器）をダイナミック制御可能に構成することもできる。例えば、図１１に示すように、ＬＥＤを（行ａ×列１６）のドットマトリクス状に配置する。そして、列１〜１６を列出力端子ＤＩＧ０〜ＤＩＧ１５に接続し、行ａ〜ｇを行出力端子ＯＵＴ０〜ＯＵＴ６に接続する。この場合、列出力端子ＤＩＧ０〜ＤＩＧ１５と行出力端子ＯＵＴ０〜ＯＵＴ６の組み合わせによって、ドットマトリクス表示器を構成するＬＥＤがダイナミック制御される。
いずれの場合も、点灯させるＬＥＤを選択することによって、１つあるいは複数の数字やアルファベット等のキャラクタを表示することができる。
また、ダイナミック制御駆動回路４７３のデータ信号出力端子（シリアル出力）ＤＡＴＡ−ＯＵＴを他のダイナミック制御駆動回路４７３のデータ信号入力端子ＤＡＴＡ−ＩＮ（シリアル入力）に接続することによって、複数のダイナミック制御駆動回路４７３をカスケード接続することができる。この場合、ダイナミック制御可能な発光器の数を増大することができる。
ダイナミック制御駆動回路４７３の動作は後述する。
ダイナミック制御駆動回路４７３のデータ信号入力端子ＤＡＴＡ−ＩＮに入力される信号が本発明の「第１の駆動回路に入力されるシリアル信号」に対応する。
【００３５】
階調制御駆動回路４７４、４７５は、データ信号入力端子ＳＩＮ、クロック信号入力端子ＣＬＫ、ラッチ信号入力端子ＬＡＴ、モード信号入力端子ＭＯＤＥ、出力端子ＯＵＴ０〜ＯＵＴｘ、データ信号出力端子ＳＯＵＴを有している。なお、ラッチ信号入力端子ＬＡＴは、反転入力端子である。
図７では、階調制御駆動回路４７４のデータ信号出力端子（シリアル出力）ＳＯＵＴを階調制御駆動回路４７５のデータ信号入力端子（シリアル入力）ＳＩＮに接続することによって、階調制御駆動回路４７４と４７５をカスケード接続している。
階調制御駆動回路４７４、４７５の動作は後述する。
階調制御駆動回路４７４、４７５のデータ信号入力端子ＳＩＮに入力される信号が本発明の「第２の駆動回路に入力されるシリアル信号」に対応する。
【００３６】
本実施の形態では、副制御回路のポート数を低減するために、シリアル伝送方式の副制御回路を用いるとともに、ダイナミック制御駆動回路４７３に出力するデータ信号（副制御信号）と諧調制御駆動回路４７４（４７５）に出力するデータ信号を同じ出力ポートから、同じ信号線を介して扉装飾基板４７０の端子３に出力するように構成している。
この場合、端子３に入力されたデータ信号をダイナミック制御駆動回路４７３のデータ信号入力端子ＤＡＴＡ−ＩＮあるいは諧調制御駆動回路４７４（４７５）のデータ信号入力端子ＳＩＮに選択的に出力する必要がある。そこで、本実施の形態では、扉装飾基板４７０に切替回路を設けている。
【００３７】
本実施の形態の切替回路は、抵抗Ｒ１〜Ｒ６、信号変換回路４７２、抵抗Ｒ１１〜Ｒ１６、インバータＩＮ１１〜ＩＮ２０、ＩＮ３１、ＩＮ３２、アンド回路ＡＮＤ３１〜ＡＮＤ３８により構成されている。
すなわち、コネクタ４７０ａの端子１〜６に入力された各信号は、信号変換回路４７２の入力端子１〜６に入力されて信号変換され、出力端子１１〜１６から出力される。信号変換回路４７２は、出力側をオープンコレクタ接続している。例えば、ＮＰＮトランジスタＴＲ１のベース端子を信号変換回路４７２の入力端子１に接続し、エミッタ端子を接地端子７に接続し、コレクタ端子を信号変換回路４７２の、入力端子１に対応する出力端子１１に接続するとともに、出力端子１１をプルアップ抵抗Ｒ１１を介して＋ＤＣ５Ｖに接続している。
そして、信号変換回路４７２の出力端子１１、１２から出力される信号（第１の選択信号ＳＬ０、第２の選択信号ＳＬ１に対応する信号）は、それぞれインバータＩＮ１１、ＩＮ１２で反転され、信号［＊ＳＬ０］、［＊ＳＬ１］括弧に変換される。また、信号変換回路４７２の出力端子１３〜１６から出力される信号（データ信号ＤＡＴＡ、クロック信号ＣＬＫ、モード信号ＭＯＤＥ、ラッチ信号ＬＡＴＣＨに対応するデータ）は、それぞれ直列接続されたインバータＩＮ１３とＩＮ１４、ＩＮ１５とＩＮ１６、ＩＮ１７とＩＮ１８、ＩＮ１９とＩＮ２０により信号［＊ＤＡＴＡ］、［＊ＣＬＫ］、［＊ＭＯＤＥ］、［＊ＬＡＴＣＨ］）に変換される。極性は変化しない。
【００３８】
信号［＊ＳＬ０］、［＊ＳＬ１］、［＊ＤＡＴＡ］、［＊ＣＬＫ］、［＊ＭＯＤＥ］、［＊ＬＡＴＣＨ］は、インバータＩＮ３１、ＩＮ３２、アンド回路ＡＮＤ３１〜ＡＮＤ３８により構成される論理回路に入力される。すなわち、アンド回路ＡＮＤ３１には、信号［＊ＳＬ０］が一方の入力端子に入力されるとともに、インバータＩＮ３１を介して信号［＊ＳＬ１］が他方の入力端子に入力される。また、アンド回路ＡＮＤ３５には、インバータＩＮ３２を介して信号［＊ＳＬ０］が一方の入力端子に入力され、信号［＊ＳＬ１］が他方の入力端子に入力される。アンド回路ＡＮＤ３１の出力端子は、アンド回路ＡＮＤ３２〜ＡＮＤ３４の一方の入力端子に接続され、アンド回路ＡＮＤ３５の出力端子は、アンド回路ＡＮＤ３６〜ＡＮＤ３８の一方の入力端子に接続されている。また、信号［＊ＤＡＴＡ］は、アンド回路ＡＮＤ３２及びＡＮＤ３６の他方の入力端子に入力され、信号［＊ＣＬＫ］は、アンド回路ＡＮＤ３３及びＡＮＤ３７の他方の入力端子に入力され、信号［＊ＬＡＴＣＨ］は、アンド回路ＡＮＤ３４及びＡＮＤ３８の他方の入力端子に入力される。
そして、アンド回路ＡＮＤ３２〜ＡＮＤ３４の出力端子は、ダイナミック制御駆動回路４７３のデータ信号入力端子ＤＡＴＡ−ＩＮ、クロック信号入力端子ＣＬＫ、ロード信号入力端子ＬＯＡＤに接続されている。また、アンド回路ＡＤＮ３６の出力端子は、階調制御駆動回路４７４のデータ信号入力端子ＳＩＮに接続されている。また、アンド回路ＡＮＤ３７、ＡＮＤ３８の出力端子は、それぞれ、階調制御駆動回路４７４及び４７５のクロック信号入力端子ＣＬＫ、ラッチ信号入力端子ＬＡＴに接続されている。また、信号［＊ＭＯＤＥ］は、階調制御駆動回路４７４及び４７５のモード信号入力端子ＭＯＤＥに入力される。
【００３９】
扉装飾基板４７０に入力される第１の選択信号ＳＬ０、第２の選択信号ＳＬ１、信号［＊ＳＬ０］、信号［＊ＳＬ１］、アンド回路ＡＮＤ３１の出力信号Ｍ、アンド回路ＡＮＤ３２の出力信号Ｎの状態（真理値表）を図１３に示す。
第１の選択信号ＳＬ０が「Ｈ」レベル、第２の選択信号ＳＬ１が「Ｌ」レベルである場合には、信号［＊ＳＬ０］が「Ｈ」レベル、信号ＳＬ１が「Ｌ」レベルとなり、出力信号Ｍが「Ｈ」レベル、出力信号Ｎが「Ｌ」レベルとなる。この場合、データ信号ＤＡＴＡ、クロック信号ＣＬＫ、ラッチ信号ＬＡＴＣＨは、アンド回路ＡＮＤ３２〜ＡＮＤ３３を介してダイナミック制御駆動回路４７３に出力される。すなわち、データ信号ＤＡＴＡの出力先がダイナミック制御駆動回路４７３側に設定される。
第１の選択信号ＳＬ０が「Ｌ」レベル、第２の選択信号ＳＬ１が「Ｈ」レベルである場合には、信号［＊ＳＬ０］が「Ｌ」レベル、信号［＊ＳＬ１］が「Ｈ」レベルとなり、出力信号Ｍが「Ｌ」レベル、出力信号Ｎが「Ｈ」レベルとなる。この場合、データ信号ＤＡＴＡ、クロック信号ＣＬＫ、ラッチ信号ＬＡＴＣＨは、アンド回路ＡＮＤ３６〜ＡＮＤ３８を介して階調制御駆動回路４７４に出力される。なお、階調制御駆動回路４７４にカスケード接続されている階調制御駆動回路４７５は、階調制御駆動回路４７４のデータ信号出力端子ＳＯＵＴから出力されるデータ信号がデータ信号入力端子ＳＩＮに入力されるため、クロック信号ＣＬＫ、ラッチ信号ＬＡＴＣＨのみがアンド回路ＡＮＤ３７、ＡＮＤ３８を介して階調制御駆動回路４７５に出力される。すなわち、データ信号ＤＡＴＡの出力先が階調制御駆動回路４７４及び４７４側に設定される。
ここで、第１の選択信号ＳＬ０及び第２の選択信号ＳＬ１が共に「Ｈ」レベルである場合には、信号［＊ＳＬ０］及び信号［＊ＳＬ１］が共に「Ｈ」レベルとなり、出力信号Ｍ及び出力信号Ｎが共に「Ｌ」レベルとなる。また、第１の選択信号ＳＬ０及び第２の選択信号ＳＬ１が共に「Ｌ」レベルである場合には、信号［＊ＳＬ０］及び信号［＊ＳＬ１］が共に「Ｌ」レベルとなり、出力信号Ｍ及び出力信号Ｎが共に「Ｌ」レベルとなる。このため、第１の選択信号ＳＬ０及び第２の選択信号ＳＬ１が共に「Ｈ」レベルあるいは共に「Ｌ」レベルである場合には、データ信号ＤＡＴＡ、クロック信号ＣＬＫ、ラッチ信号ＬＡＴＣＨがダイナミック制御駆動回路４７３及び階調制御駆動回路４７４、４７５に出力されない。
【００４０】
データ信号を信号線を介して伝送する場合、データ信号が信号線に混入したノイズによる影響を受ける虞がある。例えば、「Ｌ」レベルのデータ信号にノイズが混入することによって、「Ｈ」レベルのデータ信号であると誤判定する虞がある。あるいは、「Ｈ」レベルのデータ信号にノイズが混入することによって、「Ｌ」レベルのデータ信号であると誤判定する虞がある。
本実施の形態の切替回路は、第１の選択信号ＳＬ０と第２の選択信号ＳＬ１が共に「Ｈ」レベルあるいは共に「Ｌ」レベルである場合には、データ信号ＤＡＴＡ等がダイナミック制御駆動回路４７３及び階調制御回路４７４、４７５に出力されるのを阻止するように構成されている。これにより、データ信号がノイズの影響を受けた場合に、ダイナミック制御駆動回路４７３及び階調制御回路４７４、４７５が誤動作するのを防止することができる。
なお、一般的に、データ信号へのノイズの混入によって、同時に、「Ｈ」レベルのデータ信号を「Ｌ」レベルのデータ信号であると誤判定するとともに、「Ｌ」レベルのデータ信号が「Ｈ」レベルのデータ信号であると誤判定する可能性は非常に少ない。したがって、本実施の形態の切替回路を用いることによって、ノイズによる誤動作を充分に防止することができる。
【００４１】
次に、ダイナミック制御駆動回路４７３、階調制御駆動回路３７４及び４７５の動作を図８、図９に示す各信号のタイムチャートを参照して説明する。なお、階調制御駆動回路４７４と４７５は同じ構成であるため、以下では、階調制御駆動回路４７４の動作を説明する。また、１６個の２値データＤ１５〜Ｄ００からなる１６ビットの単位データを８個有するグループデータにより構成されるデータ信号を副制御回路からシリアルに出力する場合について説明する。
図８は、第１の選択信号ＳＬ０を「Ｈ」レベル、第２の選択信号ＳＬ１を「Ｌ」レベルに設定し、データ信号ＤＡＴＡ等の出力先をダイナミック制御駆動回路４７３に設定した場合の動作を示している。ダイナミック制御駆動回路４７３にデータ信号ＤＡＴＡ等を出力する場合には、モード信号ＭＯＤＥは「Ｌ」レベルに設定される。
時点ｔ１で、端子１に入力される第１の選択信号ＳＬ０が「Ｈ」レベル、端子２に入力される第２の選択信号ＳＬ１が「Ｌ」レベルになると、アンド回路ＡＮＤ３１の出力が「Ｈ」レベルとなり、アンド回路ＡＮＤ３２〜ＡＮＤ３４が動作可能状態となる。
その後、端子３にデータ信号ＤＡＴＡが入力されるとともに、端子４にクロック信号ＣＬＫが入力される。データ信号ＤＡＴＡ、クロック信号ＣＬＫは、ダイナミック制御駆動回路４７３のデータ信号入力端子ＤＡＴＡ−ＩＮ、クロック信号入力端子ＣＬＫに入力される。
ここで、ダイナミック制御駆動回路４７３は、クロック信号入力端子ＣＬＫに入力される信号の立ち上がりエッジ毎に、データ信号入力端子ＤＡＴＡ−ＩＮに入力される信号を１６ビットシフトレジスタに順次取り込むように構成されている。したがって、端子４に入力されるクロック信号ＣＬＫ、例えば、単位データＳ１に対応するクロック信号グループＣＬ１のクロック信号Ｃ１が立ち下がる（ダイナミック制御駆動回路４７３のクロック信号入力端子ＣＬＫでは立ち上がる）時点ｔ２で、単位データＳ１を構成する２値データＤ１５が１６ビットのシフトレジスタに取り込まれる。そして、次のクロック信号Ｃ２が立ち下がる時点ｔ３で、単位データＳ１を構成する２値データＤ１４が１６ビットシフトレジスタに取り込まれる。同様にして、クロック信号Ｃ１６が立ち下がる時点ｔ１７で、単位データＳ１を構成する２値データＤ００が１６ビットシフトレジスタに取り込まれる。この時、１６ビットシフトレジスタには、単位データＳ１を構成する１６個の２値データＤ１５〜Ｄ００が取り込まれている。
【００４２】
ダイナミック制御駆動回路４７３は、ロード信号入力端子ＬＯＡＤに入力される信号を反転した反転信号の立ち上がりエッジで１６ビットシフトレジスタに取り込まれている２値データＤ１５〜Ｄ０８を読み込んで出力レジスタを決定し、立ち下りエッジで２値データＤ０７〜Ｄ００を読み込んで出力レジスタのデータを決定するように構成されている。したがって、端子６に入力されるラッチ信号ＬＡＴＣＨ、例えば、ラッチ信号Ｌ１が立ち上がる時点ｔ１８で、１６ビットシフトレジスタに取り込まれている単位データＳ１を構成する２値データＤ１５〜Ｄ００のうちの２値データＤ１５〜Ｄ０８を読み取り、出力レジスタを決定する。また、ラッチ信号Ｌ１が立ち下がる時点ｔ１９で、１６ビットシフトレジスタに取り込まれている２値データＤ０７〜Ｄ００を読み取り、出力レジスタに設定する詳細データを決定する。これにより、動作モード（表示モード、非表示モード等）と詳細データ（桁数、セグメント番号、デューティ比等）が決定され、桁出力端子ＤＩＧ０〜ＤＩＧｍ及びセグメント出力端子ＯＵＴ０〜ＯＵＴ６の組み合わせ及びデューティ比が決定される。
同様にして、クロック信号グループＣＬ２〜ＣＬ８の各クロック信号が立ち下がる時点で、単位データＳ２〜Ｓ８を構成する２値データＤ１５〜Ｄ００を順次読み取り、ラッチ信号Ｌ２〜Ｌ８が立ち上がる時点及び立ち下がる時点で２値データを読み取る。そして、読み取った２値データに基づいて、桁出力端子ＤＩＧ０〜ＤＩＧｍ及びセグメント出力端子ＯＵＴ０〜ＯＵＴ６の組み合わせ及びデューティ比が決定される。
【００４３】
図９は、第１の選択信号ＳＬ０を「Ｌ」レベル、第２の選択信号ＳＬ１を「Ｈ」レベルに設定し、データ信号ＤＡＴＡ等の出力先を階調制御駆動回路４７４、４７５に設定した場合の動作を示している。なお、階調制御駆動回路４７４と４７５は同じ構成であるため、階調制御駆動回路４７４の動作を説明する。
時点ｔ１で、端子１に入力される第１の選択信号ＳＬ０が「Ｌ」レベル、端子２に入力される第２の選択信号ＳＬ１が「Ｈ」レベルになると、アンド回路ＡＮＤ３５の出力信号が「Ｈ」レベルとなり、アンド回路ＡＮＤ３６〜ＡＮＤ３８が動作可能状態となる。
ここで、階調制御駆動回路４７４は、モード信号入力端子ＭＯＤＥに入力される信号が「Ｈ」レベルの時には、出力端子ＯＵＴ０〜ＯＵＴｘからの階調レベルを設定する階調データ設定モードとなり、「Ｌ」レベルの時には、出力端子ＯＵＴ０〜ＯＵＴｘのオン／オフを設定するオン／オフ設定モードとなる。このため、端子５に入力されるモード信号ＭＯＤＥは、時点ｔ１で「Ｌ」レベル（階調制御駆動回路４７４のモード端子ＭＯＤＥでは「Ｈ」レベル）となる。すなわち、時点ｔ１で、階調制御駆動回路４７４は、階調データ設定モードに設定される。
その後、端子３にデータ信号ＤＡＴＡが入力されるとともに、端子４にクロック信号ＣＬＫが入力される。階調制御駆動回路４７４は、クロック信号入力端子ＣＬＫに入力される信号の立ち上がりエッジ毎に、データ信号入力端子ＳＩＮに入力される信号を１６ビットシフトレジスタに順次取り込むように構成されている。したがって、端子４に入力されるクロック信号ＣＬＫ、例えば、単位データＳ１に対応するクロック信号グループＣＬ１の各クロック信号Ｃ１〜Ｃ１６が立ち下がる（階調制御駆動回路４７４のクロック信号入力端子ＣＬＫでは立ち上がる）時点ｔ２〜ｔ１７で、単位データＳ１を構成する２値データＤ１５〜Ｄ００が１６ビットのシフトレジスタに順次取り込まれる。同様にして、端子４に入力される、クロック信号グループＣＬ２〜ＣＬ７の各クロック信号が立ち下がる時点で、単位データＳ２〜Ｓ７を構成する２値データＤ１５〜Ｄ００が１６ビットのシフトレジスタに順次取り込まれる。
また、階調制御駆動回路４７４は、ラッチ信号入力端子ＬＡＴに入力される信号を反転した反転信号の立ち上がりエッジで１６ビットシフトレジスタに取り込まれている、単位データＳ１〜Ｓ７それぞれを構成する２値データＤ１５〜Ｄ００を読み込むように構成されている。したがって、端子３に単位データＳ１〜Ｓ７それぞれを構成する２値データＤ１５〜Ｄ００が入力された後、端子６に入力されるラッチ信号ＬＡＴＣＨ、例えば、ラッチ信号Ｌ１が立ち上がる時点ｔ１１３で、１６ビットシフトレジスタに取り込まれている、単位データＳ１〜Ｓ７それぞれを構成する２値データＤ１５〜Ｄ００を読み取る。
【００４４】
端子６にラッチ信号Ｌ１が入力された後、時点ｔ１１４で、端子５に入力されるモード信号ＭＯＤＥが「Ｌ」レベルとなる。これにより、階調制御駆動回路４７２は、オン／オフ設定モードに設定される。
その後、端子３に単位データＳ８を構成する２値データＤ１５〜Ｄ００が入力されるとともに、端子４に単位データＳ８に対応するクロック信号グループＣＬ８の各クロック信号が順次入力される。この場合、前述したように、クロック信号グループの各クロック信号が立ち下がる時点で、単位データＳ８を構成する２値データＤ１５〜Ｄ００が１６ビットシフトレジスタに順次取り込まれる。
その後、端子６に入力されるラッチ信号ＬＡＴＣＨ、例えば、ラッチ信号Ｌ２が立ち上がる時点ｔ１３０で、１６ビットシフトレジスタに取り込まれている、単位データＳ８を構成する２値データＤ１５〜Ｄ００を読み取る。
そして、単位データＳ１〜Ｓ８それぞれを構成する２値データＤ１５〜Ｄ００に基づいて、出力端子ＯＵＴ０〜ＯＵＴｘから、出力端子ＯＵＴ０〜ＯＵＴｘそれぞれの階調レベルに対応する駆動信号（例えば、赤色ＬＥＤ、緑色ＬＥＤ、青色ＬＥＤそれぞれの、階調レベルに対応する電流）を出力する。
【００４５】
出力端子ＯＵＴ０〜ＯＵＴｘのオン／オフの設定、出力端子ＯＵＴ０〜ＯＵＴｘの階調レベルの設定（出力端子ＯＵＴ０〜ＯＵＴｘに接続されている発光器の階調制御）は、例えば、図１２に示すデータ構造に基づいて行われる。図１２は、単位データＳ１〜Ｓ８それぞれを構成する２値データＤ１５〜Ｄ００のデータ構造の一例を示している。
すなわち、単位データＳ１の２値データＤ１５〜Ｄ０９によって、出力端子ＯＵＴ１５に接続されている発光器の階調レベルに対応する階調データＤ７〜Ｄ０（７ビット）が決定される。同様に、単位データＳ１の２値データＤ０８〜Ｄ０２、単位データＳ１の２値データＤ０１〜Ｄ０２及び単位データＳ２の２値データＤ１５〜Ｄ０１１、単位データＳ２の２値データＤ１０〜Ｄ０４、単位データＳ２の２値データＤ０３〜Ｄ００及び単位データＳ３の２値データＤ１５〜Ｄ１３、単位データＳ３の２値データＤ１２〜Ｄ０６、単位データＳ３の２値データＤ０５〜Ｄ００及び単位データＳ４の２値データＤ１５、単位データＳ４の２値データＤ１４〜Ｄ０８、単位データＳ４の２値データＤ０７〜Ｄ０１、単位データＳ４の２値データＤ００及び単位データＳ５の２値データＤ１５〜Ｄ１０、単位データＳ５の２値データＤ０９〜Ｄ０３、単位データＳ５の２値データＤ０２〜Ｄ００及び単位データＳ６の２値データＤ１５〜Ｄ１２、単位データＳ６の２値データＤ１１〜Ｄ０５、単位データＳ６の２値データＤ０４〜Ｄ００及び単位データＳ７の２値データＤ１５〜Ｄ１４、単位データＳ７の２値データＤ１３〜Ｄ０７、単位データＳ７の２値データＤ０６〜Ｄ００によって、出力端子ＯＵＴ１４〜ＯＵＴ００に接続されている発光器の階調レベルに対応する階調データＤ７〜Ｄ０（７ビット）が決定される。
また、単位データＳ８を構成する２値データＤ１５〜Ｄ００それぞれに基づいて、出力端子ＯＵＴ００〜ＯＵＴ１５それぞれに接続されている発光器のオン／オフ（表示／非表示）が決定される。
【００４６】
以上のように、本実施の形態のスロットマシンでは、副制御回路によって、画像表示装置、ＬＥＤ等の発光器、スピーカ等の音発生器を制御するように構成されている。このため、従来のスロットマシンで設けられている基板の数及び基板の総面積を低減することができる。したがって、小型化や作業性の向上に効果がある。
また、シリアル伝送方式の副制御回路を用いているため、副制御回路を大型化することなく、画像表示装置、発光器、音発生器を制御することができる。
また、ダイナミック制御する発光器を駆動するダイナミック制御駆動回路に出力するデータ信号（副制御信号）と、階調制御する発光器を駆動する階調制御駆動回路に出力するデータ信号（副制御信号）を共通の信号線を介して出力するため、シリアルポート数の少ない副制御回路を用いることができるとともに、信号線の数を低減することができる。これにより、副制御回路、したがって、副制御回路が配設される副制御基板をより小型化することができるとともに、信号線を接続するための作業負担を軽減することができる。さらに、シリアルに伝送するデータ信号の出力先を指定する選択信号を第１の選択信号と第２の選択信号により構成するとともに、データ信号の送信先を第１の選択信号と第２の選択信号に基づいて切り替える切替回路を、第１の選択信号及び第２の選択信号が共に同じレベル（２値信号の一方の値あるいは他方の値）である場合には、データ信号の出力を阻止するように構成している。これにより、ノイズによる誤動作を防止することができる。
【００４７】
本発明は、実施の形態で説明した構成に限定されず、種々の変更、追加、削除が可能である。
例えば、切替回路としては、種々の構成の切替回路を用いることができる。
選択信号を、２値信号である第１の選択信号と第２の選択信号を用いて構成したが、選択信号としては、データ信号をダイナミック制御駆動回路あるいは階調制御駆動回路に出力することができる種々の構成の選択信号を用いることができる。
ダイナミック制御駆動回路や階調制御駆動回路としては、種々の構成の駆動回路を用いることができる。また、発光器のダイナミック制御態様や発光器の階調制御態様は、実施の形態で説明した制御態様に限定されず、種々の制御態様を用いることができる。
ダイナミック制御する発光器や階調制御する発光器の数、配設位置等は、適宜変更可能である。例えば、発光器を、ドットマトリクス状以外の配置態様で配置することもできる。また、１つの階調制御駆動回路に複数のグループの発光器を接続し、グループ毎に階調レベルを設定することができる。
発光器の発光制御態様としてダイナミック制御態様と階調制御態様を用いたが、異なる第１の発光制御態様と第２の発光制御態様の組み合わせはこれに限定されない。
発光器としては、ＬＥＤに限定されず、種々の構成の発光器を用いることができる。また、ダイナミック制御する発光器と階調制する発光器として異なる種類の発光器を用いることもできる。
副制御回路により表示制御装置、発光器、音発生器を制御したが、表示装置を制御する表示制御回路を設け、副制御回路により発光器と音発生器を制御するとともに、表示制御回路に副制御信号を出力する構成とすることもできる。このような構成とした場合でも、前述した効果を得ることができる。
実施の形態では、クロック信号、ラッチ信号、モード信号を用いたが、副制御回路から出力する副制御信号を構成する信号は、ダイナミック制御駆動回路や階調制御駆動回路の構成に応じて適宜選択される。
制御系の構成は、実施の形態で説明した構成に限定されない。
実施の形態で説明した各構成は、単独で用いることもできるし、適宜選択した複数を組み合わせて用いることもできる。
スロットマシンとして構成した実施例に場合について説明したが、本発明の技術は、パチンコ機等のスロットマシン以外の種々の遊技機に用いることができる。
【００４８】
本発明は、以下のように構成することもできる。
例えば、「（態様１）請求項１の遊技機であって、前記第１の駆動回路は、入力されたシリアル信号に基づいて、前記第１の発光器をダイナミック制御態様で駆動し、前記第２の制御回路は、入力されたシリアル信号に基づいて、前記第２の発光器を階調制御態様で駆動することを特徴とする遊技機。」として構成することができる。
【００４９】
態様１の遊技機では、入力されるシリアル信号に基づいて第１の発光器をダイナミック制御するダイナミック制御駆動回路と、入力されるシリアル信号に基づいて第２の発光器を階調制御する階調制御駆動回路を備えている。
本発明では、第１の発光器をダイナミック制御し、第２の発光器を階調制御するため、効果的な演出効果を得ることができる。
【００５０】
また、「（態様２）請求項１または態様１の遊技機であって、前記選択信号は、２値信号である第１の選択信号と第２の選択信号により構成され、前記制御回路は、前記第１の駆動回路を示す選択信号を出力する場合には、前記第１の選択信号を２値のうちの一方の値に設定するとともに、前記第２の選択信号を２値のうちの他方の値に設定し、前記第２の駆動回路を示す選択信号を出力する場合には、前記第１の選択信号を２値のうちの他方の値に設定するとともに、前記第２の選択信号を２値のうちの一方の値に設定し、前記切替回路は、入力された第１の選択信号が２値のうちの一方の値であり、入力された第２の選択信号が２値のうちの他方の値である場合には、入力されたシリアル信号を前記第１の駆動回路に出力し、入力された第１の選択信号が２値のうちの他方の値であり、入力された第２の選択信号が２値のうちの一方の値である場合には、入力されたシリアル信号を前記第２の駆動回路に出力するように構成されていることを特徴とする遊技機。」として構成することができる。
【００５１】
態様２の遊技機では、選択信号を２値信号である第１の選択信号と第２の選択信号により構成し、第１の駆動回路を示す選択信号を出力する場合には、第１の選択信号を２値のうちの一方の値に設定するとともに、第２の選択信号を２値のうちの他方の値に設定し、一方、第２の駆動回路を示す選択信号を出力する場合には、第１の選択信号を２値のうちの他方の値に設定するとともに、第２の選択信号を２値のうちの一方の値に設定する。そして、切替回路を、入力された第１の選択信号が２値のうちの一方の値であり、第２の選択信号が２値のうちの他方の値である場合には、選択信号が第１の駆動回路を指示していることを判別し、一方、入力された第１の選択信号が２値のうちの他方の値であり、第２の選択信号が２値のうちの一方の値である場合には、選択信号が第２の駆動回路を指示していることを判別するように構成する。
本発明の切替回路では、第１の選択信号と第２の選択信号が共に、２値のうちの一方の値となった場合には、シリアル信号の出力を禁止する。
これにより、ノイズの混入による第１の駆動回路及び第２の駆動回路の誤動作を防止することができる。
【００５２】
また、「（態様３）請求項１、態様１または２のいずれかの遊技機であって、音発生器と、第３の駆動回路を備え、前記第３の駆動回路は、入力されたシリアル信号に基づいて、前記音発生器を駆動し、前記制御回路は、遊技状態に応じて、第３のシリアル信号を含むシリアル信号を前記第３の駆動回路に出力することを特徴とする遊技機。」として構成することができる。
【００５３】
請求項３の遊技機では、音発生器と、入力されるシリアル信号に基づいて音発生器を駆動する第３の駆動回路を備えている。そして、制御回路は、第３のシリアル信号を第３の駆動回路に出力する。第３のシリアル信号は、第１及び第２のシリアル信号と異なる信号経路を介して出力される。
本発明では、制御回路によって、第１の発光制御態様で発光させる第１の発光器、第２の発光制御態様で発光させる第２の発光器及び音発生器を共通の制御回路で制御するため、より制御装置を小形化することができる。
【００５４】
また、「（態様４）請求項１、態様１〜３のいずれかの遊技機であって、表示装置と、第４の駆動回路を備え、前記第４の駆動回路は、入力されたシリアル信号に基づいて、前記表示装置を駆動し、前記制御回路は、遊技状態に応じて、第４のシリアル信号を含むシリアル信号を前記第４の駆動回路に出力することを特徴とする遊技機。」として構成することができる。
【００５５】
請求項４の遊技機では、表示装置と、入力されるシリアル信号に基づいて表示装置を駆動する第４の駆動回路を備えている。そして、制御回路は、第４のシリアル信号を第４の駆動回路に出力する。第４のシリアル信号は、第１及び第２のシリアル信号、第３のシリアル信号と異なる信号経路を介して出力される。
表示装置としては、典型的には、液晶表示装置等の画像情報を表示可能な画像表示装置が用いられる。
本発明では、制御回路によって、第１の発光制御態様で発光させる第１の発光器、第２の発光制御態様で発光させる第２の発光器及び表示装置、さらには、音発生器を共通の制御回路で制御するため、制御装置を一層小形化することができる。
【００５６】
また、「（態様５）請求項１、態様１〜４のいずれかの遊技機であって、前記第１の駆動回路、前記第２の駆動回路及び前記切替回路が配設されている駆動基板を備え、前記駆動基板には、前記シリアル信号が入力されるとともに前記切替回路に接続されている第１の端子と、前記選択信号が入力されるとともに前記切替回路に接続されている第２の端子が設けられていることを特徴とする遊技機。」として構成することができる。
【００５７】
請求項５の遊技機では、第１の駆動回路、第２の駆動回路及び切替回路が配設されている駆動基板を備えている。駆動基板には、シリアル信号が入力されるとともに切替回路に接続されている第１の端子と、選択信号が入力されるとともに切替回路に接続されている第２の端子が設けられている。
本発明では、駆動基板にシリアル信号を入力するための端子及び信号線の数、さらには、制御回路のシリアルポーとの数を低減することができる。これにより、制御装置を小型化することができる。
【図面の簡単な説明】
【００５８】
【図１】本発明の一実施の形態であるスロットマシンの斜視図である。
【図２】一実施の形態の分解斜視図である。
【図３】扉部材の斜視図である。
【図４】ケース部材の分解斜視図である。
【図５】一実施の形態の制御系の概略ブロック図である。
【図６】扉装飾基板の構成を示す図である。
【図７】扉装飾基板の構成を示す図である。
【図８】諧調制御時における、扉装飾基板に入力される各信号のタイムチャートである。
【図９】ダイナミック制御時における、扉装飾基板に入力される各信号のタイムチャートである。
【図１０】７セグメント表示装置をダイナミック制御する動作を説明する図である。
【図１１】ドットマトリクス表示装置をダイナミック制御する動作を説明する図である。
【図１２】階調制御駆動回路に出力するデータの一例を示す図である。
【図１３】切替装置の各部の信号の状態を示す図である。
【符号の説明】
【００５９】
１  スロットマシン
１００  外本体
２００  扉部材
２１４  透視窓
２１４ａ  透明板
２１４ｂ  縁部材
２１７発光ユニット
２１７ａ  発光体
２１７ａ−１  発光素子
２１７ａ−２  導光板
２１７ｂ  反射部材
３００  図柄変動表示装置
３０１ａ〜３０１ｃ  リール
３０３  駆動手段
３０３ａ〜３０３ｃ  リールモータ
４００  ケース部材
４０９  主制御基板
４５０  副制御基板
４７０  扉装飾基板
４７０ａ〜４７０ｈ  コネクタ
４７１  電圧変換装置
４７２  信号変換回路（オープンコレクタ）
４７３  ダイナミック制御駆動回路
４７４、４７５  階調制御駆動回路
５００  画像表示装置
６１０  ダイナミック装飾基板
６２０、６３０、６４０、６５０  階調装飾基板
【図１】
2008200431.tif 000003
【図２】
2008200431.tif 000004
【図３】
2008200431.tif 000005
【図４】
2008200431.tif 000006
【図５】
2008200431.tif 000007
【図６】
2008200431.tif 000008
【図７】
2008200431.tif 000009
【図８】
2008200431.tif 000010
【図９】
2008200431.tif 000011
【図１０】
2008200431.tif 000012
【図１１】
2008200431.tif 000013
【図１２】
2008200431.tif 000014
【図１３】
2008200431.tif 000015